(57)【要約】【課題】ラベルの保持に優れるだけでなく、容易にラベルの着脱を行うことができる、使い勝手のよい加飾容器を提供する。【解決手段】外壁５と内壁４とからなる二重側壁を有する有底筒状の容器１と、上記容器１に保持される一枚の加飾シート２と、を備え、上記容器１の二重側壁を構成する外壁５と内壁４とが、互いの上端部において連結され、その連結部１ａ以外の部分は隙間６を介して離れており、かつ、上記外壁５が透明性を有しており、上記加飾シート２が、上記二重側壁の下端部側から外壁５と内壁４の隙間６に沿って差し込まれる第１面部７と、上記第１面部７から折り曲げられ上記容器１の底部１０の少なくとも一部を覆う第２面部８と、を有し、上記二重側壁の隙間６に差し込まれた上記加飾シート２の第１面部７が、上記二重側壁の外壁５を透して視認できるようになっている加飾容器である。【選択図】図３
2020075754.tif 000002
【特許請求の範囲】
【請求項１】
外壁と内壁とからなる二重側壁を有する有底筒状の容器と、
上記容器に保持される一枚の加飾シートと、を備え、
上記容器の二重側壁を構成する外壁と内壁とが、互いの上端部において連結され、その連結部以外の部分は隙間を介して離れており、かつ、上記外壁が透明性を有しており、
上記加飾シートが、上記二重側壁の下端部側から外壁と内壁の隙間に沿って差し込まれる第１面部と、上記第１面部から折り曲げられ上記容器の底部の少なくとも一部を覆う第２面部と、を有し、
上記二重側壁の隙間に差し込まれた上記加飾シートの第１面部が、上記二重側壁の外壁を透して視認できるようになっていることを特徴とする加飾容器。
【請求項２】
上記加飾シートの第２面部が上記容器の底部に沿った状態で固定される請求項１記載の加飾容器。
【請求項３】
上記加飾シートの第１面部と第２面部との間に、上記第１面部と第２面部とを連結する連結部を有している請求項１または２記載の加飾容器。
【請求項４】
上記容器の二重側壁が一体的に形成されている請求項１〜３のいずれか一項に記載の加飾容器。
【発明の詳細な説明】
【技術分野】
【０００１】
本発明は、デザインの変更が容易で、使い勝手のよい加飾容器に関するものである。
【背景技術】
【０００２】
各種の容器表面には、内容物の種類に応じて、印刷等によって内容物の表示が要求されることがある。一方で、各種の容器には、単に機能性だけでなく、見栄えがよい、商品イメージを反映したデザインである、といった意匠性も要求されることがある。これらの要求に応えるために、例えば、透明性を有する外容器に内容器が収まるように構成され、外容器の胴壁の内周面に帯状のラベルを添わせた状態で内容器を収納することで、上記外容器と内容器の間でラベルを保持し、上記外容器を透してラベルに印刷された内容物の表示を見せるものが提案されている（例えば、特許文献１）。また、この容器に対し、ラベルの着脱が容易になるよう改良されたものも提案されている（例えば、特許文献２）。これらの構成によれば、容器に直接印刷をしなくても内容物の表示を行うことが可能であるため、内容物の表示と意匠性の両立を図ることができる。
【先行技術文献】
【特許文献】
【０００３】
【特許文献１】実公昭４６−３３４３３号公報
【特許文献２】特開２００３−１１２７７５号公報
【発明の概要】
【発明が解決しようとする課題】
【０００４】
しかし、これらの容器はいずれもラベルを外容器と内容器の間に密封しているため、ラベルの保持の点からは優れているものの、ラベルの着脱が行いにくいという問題を有している。すなわち、表示のみを変更しようとしても容器全体を変更しなければならず、ニーズの変化への対応が遅くなるという問題がある。一方、特許文献２のものは、ラベルの着脱を容易に行うことができるように改良されたものではあるが、特殊な容器を用いる必要があるため、簡易な構成でありながらより容易にラベルの着脱を行うことができるものが求められている。
【０００５】
本発明は、このような事情に鑑みてなされたもので、意匠性に優れるだけでなく、簡易な構成で、より容易にラベルの着脱を行うことができる、使い勝手のよい加飾容器の提供を、その目的とする。
【課題を解決するための手段】
【０００６】
本発明者らは、上記課題を解決するために鋭意検討した結果、ラベル（加飾シート）を特殊な形状に加工することにより、外容器と内容器の間に密封せずに保持させることができることを見出した。この知見に基づき、本発明者らは本発明を完成するに至った。
【０００７】
すなわち、本発明は以下の［１］〜［４］を提供する。
［１］外壁と内壁とからなる二重側壁を有する有底筒状の容器と、上記容器に保持される一枚の加飾シートと、を備え、上記容器の二重側壁を構成する外壁と内壁とが、互いの上端部において連結され、その連結部以外の部分は隙間を介して離れており、かつ、上記外壁が透明性を有しており、上記加飾シートが、上記二重側壁の下端部側から外壁と内壁の隙間に沿って差し込まれる第１面部と、上記第１面部から折り曲げられ上記容器の底部の少なくとも一部を覆う第２面部と、を有し、上記二重側壁の隙間に差し込まれた上記加飾シートの第１面部が、上記二重側壁の外壁を透して視認できるようになっている加飾容器。
［２］上記加飾シートの第２面部が上記容器の底部に沿った状態で固定される、［１］に記載の加飾容器。
［３］上記加飾シートの第１面部と第２面部との間に、上記第１面部と第２面部とを連結する連結部を有している、［１］または［２］に記載の加飾容器。
［４］上記容器の二重側壁が一体的に形成されている、［１］〜［３］のいずれかに記載の加飾容器。
【発明の効果】
【０００８】
本発明の加飾容器は、意匠性に優れ、簡易な構成でありながらより容易にラベルの着脱を行うことが可能であり、使い勝手がよい。
【図面の簡単な説明】
【０００９】
【図１】本発明の一実施の形態を示す加飾容器の分解斜視図である。
【図２】上記加飾容器の正面図である。
【図３】図２のＡ−Ａ断面図である。
【図４】上記加飾容器を底面側から見た状態を示す説明図である。
【図５】上記加飾容器に用いられる加飾シートの平面図である。
【図６】図３における容器部分の拡大図である。
【図７】図５の加飾シートの他の例を説明する平面図である。
【発明を実施するための形態】
【００１０】
つぎに、本発明を実施するための形態について説明する。ただし、本発明は、以下の実施の形態に限定されるものではない。
【００１１】
本発明の一実施の形態を図１〜４に示す。この実施の形態の加飾容器では、内容物を収容する有底筒状の容器１と、この容器１に保持される加飾シート２を備えており、上記容器１の上端において、有天筒状の蓋３が螺合するようになっている。そして、上記容器１の透明性を有する外壁５を透かして上記加飾シート２の模様αが視認できるようになっている。
【００１２】
より詳しく説明すると、上記容器１は、図２のＡ−Ａ断面図である図３に示すとおり、内壁４と透明性を有する外壁５とからなる二重側壁を有し、その下端は開放されている。また、上記二重側壁を構成する内壁４と外壁５の間に形成された隙間６に沿って、上記加飾シート２の第１面部７が筒状に組み立てられた状態で差し込まれており、上記第１面部７から折り曲げられた第２面部８が、上記容器１の底部１０に沿った状態で透明性を有する両面テープ１２により貼り合わせられている（図４参照）。
【００１３】
上記容器１は、黒色透明のポリメタクリル酸メチル樹脂（ＰＭＭＡ）製の円筒形状をしており、図６にその縦断面を示すとおり、二重側壁を構成する内壁４と外壁５とは、互いの上端部において連結され、その連結部１ａ以外の部分は隙間６を介して離れている。また、上記容器１は、開口部が首部１５に形成されており、この首部１５の周側壁の上端には、上記蓋３が螺合するための雄ねじ１６が形成されている。そして、上記外壁５の外周面には、「ｃｏｓｍｅｔｉｃｓ」の文字が印刷により付されている（図１参照）。
【００１４】
上記隙間６は、加飾シート２の差し込みやすさと隙間６内での動きにくさを考慮して、下端の距離Ｐ2が上端の距離Ｐ1に比べてやや大きくなるように設定されている。Ｐ1は、通常、１〜５ｍｍであり、１．５〜３ｍｍが好ましく、Ｐ2は、通常、２〜１０ｍｍであり、３〜７ｍｍであることが好ましい。また、Ｐ2−Ｐ1は、通常、０〜９ｍｍであり、１〜７ｍｍであることが好ましく、より好ましくは３〜５ｍｍである。この実施の形態では、Ｐ1：１．５ｍｍ、Ｐ2：５ｍｍに設定されている。上記距離Ｐ1およびＰ2が上記範囲内にあると、加飾シート２の差し込みの容易性と保持性および加飾容器の見栄え（奥行き感）のバランスに優れる。
【００１５】
また、容器１の内壁４の下端と連なる底部１０は、外壁５の下端より距離Ｍ（この実施の形態では０．５ｍｍ）だけ上側に位置しているため、容器１を机等に置いた際に、底部１０が机等に直接当接することはないが、これに限るものではない。上記距離Ｍは、通常、０．１〜５ｍｍであり、好ましくは０．５〜３ｍｍである。すなわち、内壁４の下端と外壁５の下端が揃っていたり、内壁４の下端が外壁５の下端より下側に位置したりしてもよいが、内壁４の下端が外壁５の下端より上側に位置していると、加飾シート２の第２面部８を容器１の底部１０に固定した状態において、容器１を机等に置いた際に、机等に加飾シート２の第２面部８が当たらないため、加飾シート２の保護を確実に図ることができる（図２、図３参照）。
【００１６】
上記加飾シート２は、ポリエチレンテレフタレート（ＰＥＴ）製の１枚のシートからなり、図５に示すとおり、上記容器１の二重側壁の下端部側から内壁４と外壁５の隙間６に沿って差し込まれる第１面部７と、上記第１面部７から折り曲げられ上記容器１の底部１０に沿った状態で固定される第２面部８と、を有しており、上記第１面部７と第２面部８との間に、これらを連結する連結部９を有している。加飾シート２の材質に制限はなく、例えば、ＰＥＴ、ポリプロピレン（ＰＰ）等の合成樹脂、紙、紙と合成樹脂を組み合わせた合成紙等を用いることができる。
【００１７】
上記第１面部７は、長辺と短辺を有する略長方形状をしており、その一方の短辺には切欠き部１４が形成され、他方の短辺には上記切欠き部１４に係合する突出部１３が形成されている。上記突出部１３は、長辺（図５において長さＱに対応する部分）の端部から長さＴだけ長辺方向に突出し、その突出先端に向かって広がる逆テーパーに形成されており、これに対応する凹んだ形状の切欠き部１４に、簡単な操作で容易に係合させることができる。これにより、上記第１面部７を美麗な（外部から見た際に継ぎ目が目立たない）筒状に形成することができる。
なお、上記突出部１３の突出先端部と、これに対応する切欠き部１４の凹み形状に、それぞれアールがつけられているため、外部からの衝撃を受けた際には、上記係合部分において突出部１３と切欠き部１４とがスムーズに可動し、その衝撃を緩衝することができる。
【００１８】
そして、上記第１面部７の表面（容器１に差し込まれた状態で外部から視認できる面）には、黒のベース地に銀色で波模様が現された模様αが金属蒸着により形成されている。また、上記第１面部７の裏面には、内容物の取り扱い説明が表示されている。
【００１９】
上記第１面部７の長辺の長さＱは、上記容器１の内壁４の外周面に沿わすことができる長さ以上であることが好ましく、なかでも、見栄えに優れる点から、上記内壁４の外周面に沿わすことができる長さ以上外壁５の内周面に沿わすことができる長さ以下であることが好ましく、より好ましくは、上記内壁４の外周面にぴったり沿う長さである。第１面部７の長辺の長さＱが上記内壁４の外周面にぴったり沿うものであると、表面に現わされた模様αが奥行き感を生じさせるものとなり、より見栄えに優れるためである。しかし、趣向を凝らした加飾容器が得られる点から、長辺の長さＱを、あえて上記内壁４の外周面に沿わすことができる長さ以上にしたものであってもよく、隙間６に差し込んだ際に、上記第１面部７がバランスよく配置されず、片側に寄るものであってもよい（外壁５の内周面に、その全面または一部が当接していてもよい）。
【００２０】
上記第１面部７と連結部９を介して連結される上記第２面部８は、上記容器１の外壁５内にぎりぎり収まる大きさの略円形状に形成されている。しかし、容器１の底部１０の少なくとも一部を覆うことができればよく、また、必ずしも容器１の外壁５内に収まる大きさでなくてもよい。ただし、容器１の外壁５内に収まりきらない大きいものであると、加飾容器が落下した際に、加飾シート２の、外側にはみ出した部分が直接衝撃を受けて、割れ、欠け、切れ等の損傷が発生することもあり、加飾容器を裏面側から見たときの見栄えの面からも容器１の外壁５内に収まる大きさであることが好ましい。
【００２１】
また、上記第２面部８の表面（容器１の底部を覆った状態で外部から見える面）には、内容物の表示（例えば、薬機法第５０条に定める事項の記載）がされている。このため、容器１自体（例えば、外壁５の外周面）に内容物の表示をする必要がなくなり、加飾容器の外観をよりデザイン性に特化したものにすることができる。もちろん、加飾容器のデザイン、内容物の種類によっては、このような表示をしなくてもよい。
【００２２】
そして、上記第２面部８の裏面には、両面テープ１２が取り付けられており（図１参照）、上記両面テープ１２の粘着力によって上記第２面部８が上記容器１の底部１０に固定されている。このため、上記両面テープ１２の粘着力を調整することにより、容器１への取り付けを着脱自在のものとすることができ、例えば、別途異なるデザインの加飾シート２を準備し、これと簡単に交換（着せ替え）することができる。
【００２３】
そして、この実施の形態では、第２面部８の略円形の円弧の長さＶ（破線で示す仮想線Ｖ’を含む、以下において同じ）が、第１面部７の長辺の長さＱより５ｍｍ短くなっているため、加飾容器が落下した際に加飾シート２の第１面部７が第２面部８に衝突することがなく、その衝撃によって第２面部８損傷を受けることを防止することができる。しかし、円弧の長さＶを短くし、第２面部８を小さくし過ぎると、加飾容器の裏面の見栄えが悪くなるため、見栄えの観点から、第２面部８の略円形の円弧の長さＶが、第１面部７の長辺の長さＱとほぼ同じかそれよりやや短いことが好ましい。
【００２４】
上記第１面部７と上記第２面部８とを連結する上記連結部９は、上記第２面部８の折り曲げを容易にし、また、上記第２面部８が折り曲げられた状態を確実に保持する一助となるものである。
上記連結部９において、図５に示すように、上記第１面部７の、下方に配置される長辺側の端部から、上記第２面部８の、上記第１面部７側の端部までの長さＲは、強度の点において短いほど好ましい。しかし、成形容易性および折り曲げられた状態を確実に保持できる点から、５〜１０ｍｍであることが好ましい。また、上記第２面部８の略円形の円弧の破線で示す仮想線Ｖ’が、上記第１面部７の、下方に配置される長辺側の端部に略接するように設定されることが、加飾容器を裏面側から見たときの見栄えに優れる点で好ましい。
【００２５】
また、上記連結部９は、上記第１面部７と上記第２面部８との間に、それぞれアールをつけて連結しているが、上記連結部９の形状はこれに限るものではなく、どのような形状であってもよい。しかし、上記連結部９の形状が、上記のようにアールをつけて連結しているものであると、見栄えが優れるだけでなく、上記第１面部７と第２面部８とが互いに離れる方向に引っ張られたとしても簡単にちぎれてしまうことがない。
【００２６】
そして、上記連結部９には、連結部９から第２面部８にかけて切込み１１が形成されている。これにより、加飾容器が落下した際の衝撃を、この切込み１１で緩衝することができ、加飾シート２の連結部９近傍の損傷を防止することができる。また、切込み１１は、連結部９から第２面部８にかけて延びる切込み端部に対して、交差する切込みを設けることも好ましい。上記実施の形態では、図５に示すように略Ｔ字状の切込み１１となっており、どの方向からの衝撃にも緩衝効果を発揮することができる。
また、上記の実施の形態では、上記連結部９から、上記第１面部７および第２面部８にかけて略Ｔ字状の切込み１１が形成されているが、上記切込み１１の形状はこれに限るものではない。また、加飾シート２の材質や厚みによっては、それ自体が充分な緩衝性を有している場合があるため、必ずしも切込み１１を形成しなくてもよい。しかし、切込み１１を形成すると、加飾容器が落下した際の衝撃を、この切込み１１で緩衝することができ、加飾シート２に割れや欠けの発生を防止することができる。とりわけ、切込み１１の形状を、図５に示すような略Ｔ字状にし、交差する切込みを円弧状とすることにより、どの方向からの衝撃にも緩衝効果を一層発揮することができる。
【００２７】
上記容器１に上記加飾シート２を取り付けるには、まず、加飾シート２の第１面部７の突出部１３を切欠き部１４に結合させて、図１に示すとおり上記第１面部７を筒状に形成し、この筒状になった上記第１面部７を容器１の下方（二重側壁の下端部側）から内壁４と外壁５の隙間６に沿って差し込む。そして、上記両面テープ１２の粘着面を露出させた状態で、上記第２面部８を上記容器１の底部１０に沿わせて接着することにより、上記加飾シート２を上記容器１に取り付けて固定することができる。これにより、本発明の一実施の形態である加飾容器が得られる。
【００２８】
この実施の形態によると、容器１の外壁５を透かして加飾シート２の第１面部７の表面に現わされた模様αを視認できるため、奥行き感のあるデザインの加飾容器を実現することができる。また、上記外壁５の外周面には印刷により「ｃｏｓｍｅｔｉｃｓ」の文字が付されているため、上記加飾シート２の第１面部７の表面の模様αから上記文字が浮き上がって見えるようになっており、文字と模様αとが組み合わされた興趣に富むデザインを得ることができる。
そして、二重側壁の下方が開放されているため、加飾シートの交換を容易に行うことができ、さらに、加飾容器として完成した後であっても、そのデザイン変更を容易に行うことができる。
【００２９】
しかも、加飾シートの第１面部７を二重側壁の下方から差し込み、第２面部８を容器１の底部１０に固定するだけで加飾シートを容器に確実に取り付けることができるため、容器１および加飾シート２のサイズをそれほど厳密に制御しなくても済み、しかも、組み立てにおいても細かい設定や調整が不要で、製造にかかる時間の短縮および製造コストの低減を実現することができる。
【００３０】
そして、加飾シート２のバリエーションを用意することにより、容器１のデザインを変更することなく多種多様な加飾容器を製造することができ、ユーザーのカスタマイズに対応することができる。
また、加飾シート２の第１面部７の裏面に内容物の取り扱いが表示されているため、紛失しやすい取り扱い説明書を確実に保持（保管）することができる。一方、第２面部８の表面に内容物の表示がされているため、容器１の側面にデザインに関係のない内容物の表示をしなくてもよく、統一感のある側面デザイン（全周）にすることができるため、見栄えがよい。
さらに、加飾シート２を上述の特殊な形状にしているため、加飾容器を落下させた場合であっても、加飾シート２に割れや欠けが生じにくくなっている。
【００３１】
なお、上記実施の形態では、容器１が黒色透明のＰＭＭＡによって形成されているが、これに限るものではない。すなわち、容器１の外壁５が透明性を有していれば、どのようなもので形成されていてもよい。また、その場合、容器１（外壁５を除く）の色や透明性の有無は問われない。なお、本発明において、「透明性を有する」とは、完全な無色透明である必要はなく、反対側が透けて見えるものとし、有色であっても無色であってもよい。
【００３２】
そして、上記実施の形態では、容器１の二重側壁を構成する内壁４と外壁５とが一体的に形成されているが、これらが別部材で形成されていてもよい。例えば、有底筒状の容器と、外壁を有する環状部材とを別々に形成し、上記容器の開口部分に環状部材を取り付けて、二重側壁を有する容器を形成するようにしてもよい。
【００３３】
また、上記実施の形態では、容器１が円筒形状をしているが、容器１の形状はこの形状に限るものではない。二重側壁を有するものであれば、どのような形状であってもよく、容器１の平面視形状が、例えば、三角形、四角形、六角形等の多角形や、楕円形、ひし形等であってもよい。
【００３４】
そして、上記実施の形態では、容器１の開口部に首部１５を形成するとともに、上記首部１５の周側壁の外側の上端に雄ねじ１６が螺刻し、蓋３と螺合するようにしているが、これらの構成はいずれも任意のものである。単に嵌合であってもよいし、例えば、蓋３が不要の加飾容器を製造する場合には、これらの構成はいずれも不要である。
【００３５】
上記実施の形態では、加飾シート２をＰＥＴで形成しているが、これに限るものではない。ただし、その第１面部７が容器１の二重側壁の隙間６に差し込まれるものであることから、上記二重側壁の内壁４の外周面に沿わせることができる程度の可撓性を有するものであることが好ましい。また、加飾シート２の第１面部７表面に金属蒸着によって模様αを現しているが、表面のデザインを現す手段はこれに限るものではなく、一般的な印刷や転写シートによるものであってもよい。また、加飾シート２を部分的に切り抜いて、いわば切絵のようにしてデザインを現すようにしてもよい。さらに、容器１の外壁５を部分的に透明にして、模様αの一部を見せるようにしてもよい。
【００３６】
また、上記実施の形態では、上記第１面部７を筒状にするための係合部として、長辺の両端に突出部１３と切欠き部１４とをそれぞれ形成しているが、上記第１面部７を筒状にできる構成であれば、これに限るものではない。例えば、切欠き部１４を形成せずに、単に切込みを入れた箇所に突出部１３を差し込むようにして第１面部７を筒状にしてもよいし、突出部１３と切欠き部１４のいずれも形成せずに、それぞれの短辺を接着剤やテープで貼り合わせて筒状にしてもよい。
【００３７】
さらに、上記実施の形態では、加飾シート２の第１面部７を略長方形状としているが、上記第１面部７の形状は、容器１の内壁４の外周面に沿わせることができるものであれば略長方形状に限るものではない。また、上記第１面部７は一片からなるものでなくてもよく、例えば、図７に示すように、第２面部８’の両側に連結部９’を介してそれぞれ連結される二片からなっていてもよい。図７で示すものは、上記第１面部７を容器１の隙間６に差し込むと、第１面部７’，７’のそれぞれの端縁部分が互いに重なり合い、外部から見ると筒状に見えるため、予め筒状に形成する必要がない。
【００３８】
また、上記実施の形態では、加飾シート２の第１面部７の長辺の中央部に第２面部８を連接しているが、容器１の底部に第２面部８を沿わせることができるものであれば中央部に限るものではなく、切欠き部１４または突出部１３に寄って第２面部８を配置してもよい。
【００３９】
また、上記の実施の形態では、加飾シート２の第２面部８の裏面に両面テープ１２を取り付けて容器１の底部１０に貼着して、加飾シート２を容器１に固定するようにしたが、容器１の底部１０に固定することができればこれに限るものではない。例えば、粘着剤、接着剤を上記第２面部８の裏面または容器１の底部１０に塗布し、これらの粘着力（接着力）によってこれらを固定するようにしてもよい。また、デザインやコストの点から、両面テープや粘着剤、接着剤等はいずれも有色であってよいし、透明性を有していなくてもよい。
【００４０】
上記実施の形態では、加飾シート２の第２面部８を容器１の底部１０に固定することにより、加飾シート２を容器１に取り付けるようにしているが、容器１への加飾シート２の取り付け位置は、これに限るものではない。例えば、図７の加飾シート２’の第１面部７’のそれぞれの裏面に両面テープ等を取り付け、容器１の内壁４の外周面に貼り合わせるようにして加飾シート２’を容器１に固定するようにしてもよい。この場合、第２面部８’が固定されていないため、外部からの衝撃をこの部分で緩衝することができ、加飾シート２’の保護を図ることができる。
【００４１】
上記実施の形態では、加飾シート２が、第１面部７と第２面部８とを連結する連結部９を有しているが、加飾シート２の材質や厚み等によっては、連結部９をあえて設けず、直接第１面部７から第２面部８を折り曲げるようにしてもよい。
【００４２】
また、本実施の形態においては、上記加飾容器として、化粧料を収容する容器を用いているが、これに限るものではない。例えば、コップや花瓶、小物入れ等、容器に加飾することが好ましいものに用いることができる。
【産業上の利用可能性】
【００４３】
本発明は、興趣に富むデザインを有し、使い勝手のよい容器として、好適に用いられる。
【符号の説明】
【００４４】
１    容器
１ａ  連結部
２    加飾シート
４    内壁
５    外壁
６    隙間
７    第１面部
８    第２面部
【図１】
2020075754.tif 000003
【図２】
2020075754.tif 000004
【図３】
2020075754.tif 000005
【図４】
2020075754.tif 000006
【図５】
2020075754.tif 000007
【図６】
2020075754.tif 000008
【図７】
2020075754.tif 000009